(57)【要約】  本考案は、電子ゲームや電子サービスのシステムに関し、特に、移動無線通信ネットワークを利用して、営利又は非営利の集団参加型リモート・ギャンブル・電子ゲーム又はギャンブル以外の電子ゲーム、その他投票、宝くじ、評価、社会学的調査又は市場調査を運営したり、それらに参加したりするためのシステムに関する。本考案によるシステムは、中央ハードウェア・ソフトウェア複合体、周辺機器、及びデータ伝送ネットワークを備える。前記周辺機器は、移動無線通信端末として具現化される。前記中央ハードウェア・ソフトウェア複合体は、ネットワークインタラクション部、参加者登録部、データベース、メッセージ生成部、統計部、一つ以上の専用アプリケーション部、及び制御部で構成される。
0003129697.tif 000002
【実用新案登録請求の範囲】
【請求項１】
中央ハードウェア・ソフトウェア複合体と、
周辺機器と、
データ伝送ネットワークと、
を備えた、営利又は非営利の集団参加型リモートゲーム、又は投票や世論調査を運営したり、それらに参加したりするためのシステムにおいて、
前記周辺機器は移動無線通信端末として具現化され、
前記中央ハードウェア・ソフトウェア複合体は、ネットワークインタラクション部と、参加者登録部と、データベースと、メッセージ生成部と、統計部と、一つ以上の専用アプリケーション部と、制御部と、
を備えることを特徴とするシステム。
【請求項２】
前記移動無線通信端末が携帯電話であることを特徴とする請求項１に記載のシステム。
【請求項３】
決済部をさらに備え、前記中央ハードウェア・ソフトウェア複合体に前記決済部と情報を授受するためのインタラクション部が設けられていることを特徴とする、請求項１に記載のシステム。
【請求項４】
前記中央ハードウェア・ソフトウェア複合体に、インターネットと情報を授受するためのインタラクション部が設けられていることを特徴とする、請求項１に記載のシステム。
【請求項５】
前記中央ハードウェア・ソフトウェア複合体に、マスメディアと情報を授受するためのインタラクション部が設けられていることを特徴とする、請求項１に記載のシステム。
【考案の詳細な説明】
【技術分野】
【０００１】
本考案は、電子ゲームや電子サービスのシステムに関し、特に、移動無線通信ネットワークを利用して、営利又は非営利の集団参加型リモート・ギャンブル・電子ゲーム又はギャンブル以外の電子ゲーム、その他宝くじ、投票、評価、社会学的調査又は市場調査を、運営したりそれらに参加したりするためのシステムに関する。
【背景技術】
【０００２】
現在、電子コンピュータゲームに対する関心は非常に高まっている。電子コンピュータゲームによって様々な形態のゲームが提供されるようになり、参加者は論理的かつ戦略的に問題を解決する能力を身に付けていきつつ、賭け事をしたり、トータリゼータや社会学的世論調査に参加したり、営利又は非営利のゲームに興じることができる。これに合わせてシステム改善の必要も生じている。上述の活動に参加するのに特別な機材を追加する必要がなく、参加者が自分の都合の良い場所から、目的のゲーム、投票、世論調査へいつでもアクセスでき、しかも一度に複数の活動へ参加する、又は一つの活動と他の機能を統合できる、このようなシステムが求められている。さらに、このようなゲームシステムでは、参加の承認機能、利益の秘密保持機能、参加者の行動の検証機能を確保する必要がある。
【０００３】
公知のコンピュータ・ギャンブル・システム（特許文献１参照）では、異なる場所に置かれた複数の端末機器を含む構成となっている。これらの機器は、適当なリモートデータ伝送回線を介して共通の中央コンピュータに接続されるように設計されており、制御は、乱数ジェネレータによって行われている。乱数ジェネレータは、記号・数などの当選組合せを生成するために中央コンピュータと交信する。前記端末機器はそれぞれ、乱数ジェネレータで生成された当選組合せの表示機として機能し、また、恒常的に実施されている当選組合せの決定に参加できるように、通信機器に接続されている。しかし、このシステムには機能的な制限がある。
【０００４】
その他の公知のシステムで、金銭を賭けるリモートゲームにおいて利用されているもの（特許文献２参照）では、ゲーム中心部が設けられ、そのゲーム中心部には、参加者登録部、データ保存及び検索部、ゲームの結果に基づくアカウント計算部、データ交換部、電子決済部が含まれている。さらにこのシステム構成には、周辺端末機器及びゲーム・インターフェース・コンポーネントも含まれている。周辺端末機器のためのゲーム・インターフェース・コンポーネントは、コンピュータゲーム部を具備する携帯電話として実現されている。そして、これらの携帯電話全てとゲーム中心部とが、一般の携帯通信ネットワークに組み込まれている。前記周辺端末機器には、ゲームプログラミング装置、ゲーム結果合計装置、及びシステム信号ジェネレータが設けられている。プログラミング装置の出力部の一つが携帯電話のコンピュータゲーム部の入力部に接続され、このコンピュータゲーム部の出力部からフィードバックがプログラミング装置に入力される。プログラミング装置の別の出力部はゲーム結果合計装置の入力部に接続され、この合計装置の出力部はシステム信号ジェネレータの入力部に接続され、システム信号ジェネレータの出力部は携帯電話に接続されている。上述の電子決済部はこのシステム内に設立されたクレジット機構として実現されており、ゲーム中心部のデータ交換部と接続されている。
【０００５】
このギャンブルシステムの欠点は、携帯電話の構成を変更することや追加の部品が必要となる点、さらにゲームプログラミング装置、ゲーム結果合計装置、及びシステム信号ジェネレータが必要となる点である。
【０００６】
さらに他の公知な電子ギャンブルシステム（特許文献３）は、中央コンピュータステーションを含む中央ハードウェア複合体、周辺機器、周辺コンピュータステーション、データ伝送ネットワークで構成されている。
【０００７】
この中央コンピュータステーションには、参加者登録システム、参加者アカウント管理システム、データ作成・保存・検索システム、ゲーム状況記録システム、ゲームの結果に基づくアカウント計算システム、ブッキング及びベッティングシステム、アクティブ・ゲーム・システム、データ交換システムが設けられている。さらに、電子決済システム、データ・セキュリティ・システム、セキュアな通信システム、ゲーム選択システム、メールシステムなども設けられている。データ伝送ネットワークは、周辺コンピュータステーションと中央コンピュータステーションとの間をつなぐ役割を果たし、周辺コンピュータステーションの各種の構成にも柔軟に対応する。周辺コンピュータステーションにはそれぞれ、モデムと、固定型又は携帯用のコンピュータ数台が備えられている。この周辺コンピュータステーションは、独立しているコンピュータ群でも、端末とモデムを含むローカルネットワークに統合されているコンピュータ群でもよい。
【０００８】
この技術的ソリューションは、電子ギャンブルや電子サービスのシステムに関するものであり、グローバルネットワークやローカルネットワークにおいてカジノシステムを構築するために使用できる。また、このシステムで市場経済での経済主体間の実関係をシミュレートしたり、投票や世論調査を目的として使用したりすることもできる。このギャンブルシステムでは、セキュリティが守られ地理的に無制限なネットワークが提供されている。また、秘密保持のための手段がシステムに組み込まれており、ギャンブルデータベースや複数のゲーム結果を基にした銀行口座間の送金処理も行えるようになっている。
【０００９】
このコンピュータ・ギャンブル・システムは、以下のように機能する。システムでの活動を開始するために、参加者は全て、コード番号、ニックネーム、及びパスワードを提示して、システムに登録する必要がある。これらのデータを提供すると、参加者には登録番号が割り当てられる。参加者は、好きなときにいつでも、周辺コンピュータステーションを使用して電話回線に接続し、中央コンピュータステーションに入ることができる。接続は、参加者登録システムにあるプログラムの実行によって初期化される。参加者登録システムはモデムを使ってカジノ用電話番号にダイヤルして、カジノモデムを介してカジノアドミニストレータのコンピュータに接続する。ダイヤルアップの後、参加者登録システムは参加者のコード番号、ニックネーム、及びパスワードを要求する。その後システムは、提示されたデータとアドミニストレータのコンピュータに登録されている識別情報とを比較する。両方のデータが一致したら、システムは参加者を認証し、参加者自身のデポジットアカウントへアクセスできるようにする。このアカウントは、ゲームアカウントである場合もあり、キャッシュアカウントの場合もある。ゲームで何かを実行するためには、参加者は、周辺コンピュータステーションのインターフェースに該当するデータを入力して、ゲームニックネーム、チームメンバー、及びゲームを選択する必要がある。参加者がゲームチームを結成したい場合は、メッセージシステム又はそれに代わるコミュニケーションシステムに、リクエストやアナウンスを送ることができる。必要なレベルのセキュリティやプライバシー保護を実現するために、通信セッションはデータ・セキュリティ・システムやデータ交換システムによって保護されている。デポジットアカウントを対象にしたセッションの場合、さらに電子決済システムによる保護が加わる。各システムで参加者のデジタルキーが利用される。参加者は、利用可能な全ての活動について、ヘルプシステムが提示する該当の指示やヒントを読んで情報を得ることができる。ゲームの終了後、周辺コンピュータステーションのインターフェースに、ゲーム結果表や、参加者のデポジットアカウントにおけるトランザクションの一覧が表示される。このようにして、システムの参加者は誰でも好きなときに、システムの他の参加者とゲームを行ったり、自分の現在の活動を中断することなくゲームの結果に応じて銀行とのトランザクションを実行したりできる。さらに、参加者は、一度に複数のゲーム場面に参加することも可能である。この技術的ソリューションは、本考案のプロトタイプとなるものである。
【特許文献１】露国特許第９７１４７４７Ａ１号明細書
【特許文献２】露国特許第２６０１１Ｕ１号明細書
【特許文献３】露国特許第２１０２７９Ｃ１号明細書
【考案の開示】
【００１０】
前記システムの欠点は、中央コンピュータステーションに接続するために、モデム付きの固定型又は携帯用コンピュータが必要なため、機能が制限されることである。
【００１１】
本考案の一つの目的は、参加者が、標準的な周辺機器、特に携帯電話を使用して、特別な機材を追加する必要なく、自由な場所からリモートで電子ゲーム、投票、調査に参加できるようなシステムを提供することである。さらに、システムで電子キャッシュレス決済を実行するための手段、及びシステムが指定する決済事務局において、参加者が獲得利益を受け取るための手段も提供すべきである。
【００１２】
本考案によると、営利又は非営利の集団参加型リモートゲームを、又は投票や世論調査を実行したり、それらに参加したりするためのシステムが、中央ハードウェア・ソフトウェア複合体と、周辺機器と、データ伝送ネットワークとによって構成される。前記周辺機器は移動無線通信端末として実現される。前記中央ハードウェア・ソフトウェア複合体は、ネットワークインタラクション部、参加者登録部、データベース、メッセージ生成部、統計部、一つ以上の専用アプリケーション部、及び制御部を備える。前記の移動無線通信端末は携帯電話とすることができる。さらに、このシステム構成に決済部を含め、中央ハードウェア・ソフトウェア複合体にこの決済部とのインタラクション部を設けることができる。また、インターネットとのインタラクション部、マスメディアとのインタラクション部をさらに設けてもよい。
【００１３】
本考案と同一の技術的ソリューションに関するデータを含む情報源はまったく見つからなかった。よって、本考案が「新規性（N）」の基準を満たしていると言えるというのが出願人の主張である。
【考案の詳細な説明】
【００１４】
本考案を、添付の図面を参照しつつ例を挙げて説明する。
【００１５】
営利又は非営利の集団参加型リモートゲームを、又は投票や世論調査を運営したり、それらに参加したりするシステムが、中央ハードウェア・ソフトウェア複合体１、周辺機器２、データ伝送ネットワーク３によって構成される。データ伝送ネットワークとして、例えばGSM移動無線通信ネットワークなどが利用される。周辺機器２は、例えば携帯電話（GSM、CDMA、NMT、AMPS/DAMPSなど）や、内蔵又は外付けで無線通信端末を具備するミニコンピュータ（「ノキアコミュニケータ（Nokia（商標） Communicator）」、「パーム（Palm）」（商標）など）など、移動無線通信端末として実現される。
【００１６】
中央ハードウェア・ソフトウェア複合体１には、ネットワークインタラクション部４と、参加者登録部５と、データベース６と、メッセージ生成部７と、統計部８と、専用アプリケーション部９と、制御部１０とが設けられる。さらにシステムに、例えば、決済システム（「ビザ（Visa）」）、銀行、ファンドなどの金融仲介機関の形態で、決済部１１を含めてもよい。この場合、中央ハードウェア・ソフトウェア複合体１に決済部１１とのインタラクション部１２が設けられる。また、中央ハードウェア・ソフトウェア複合体１にインターネットとのインタラクション部１３やマスメディアとのインタラクション部１５を設けてもよい。
【００１７】
このシステムは以下のように機能する。  
まず、参加者、例えばGSMネットワーク（データ伝送ネットワーク３）における携帯電話（周辺機器２）の所有者は、マスメディア１６より、営利又は非営利のある特定のゲームがこのシステムに存在するという情報を入手する。この参加者は、リクエストメッセージをオーガナイザが設定した特定の番号（アドレス）に向けて送信する。リクエストメッセージは、例えばE163・E164、SMS、USSD、Dial-up、DTMFなどのフォーマット、又はWAP接続によるインターネットリクエストなどとして送信される。あるいは、このようなフォーマットの考え得る組み合わせによってリクエストメッセージがハードウェア・ソフトウェア複合体１に向けて送信される。
【００１８】
営利ゲームやトータリゼータの場合、またはオーガナイザが世論調査や投票を実行するのに特定の要件を定義している場合などでは、登録部５から参加者にSMSなどの登録メッセージを送信するように設定することもできる。
【００１９】
登録データは、中央ハードウェア・ソフトウェア複合体１のデータベース６に保存される。参加者はシステムから、登録部５へ無事に登録された、又は目的の営利又は非営利ゲーム、トータリゼータ、投票、レファレンダム、社会的調査、又は市場調査においてその要請が拒否されたことを通知するメッセージを受け取る。例えば営利ゲームの場合、登録メッセージに、１８歳以上であることがこのオーガナイザにとって参加登録の要件となっている、というような情報を含ませることができる。また、登録プロセスを省略することも可能で、そのゲームを選択した参加者は、携帯電話（周辺機器２）を使って、例えばSMSとしてベッティングメッセージや投票メッセージを、該当するゲームのシステムオーガナイザが設定した番号に送信する。
【００２０】
中央ハードウェア・ソフトウェア複合体１は、無制限の数のゲーム、投票、世論調査に対応する。これらを実行するためのソフトウェアはそれぞれ、専用アプリケーション部９に保存される。専用アプリケーション部９の例として、「宝くじ」、「トータリゼータ」、「ルーレット」、「競馬」、「社会学用世論調査」、「株式取引」などが挙げられる。中央ハードウェア・ソフトウェア複合体１は、対応する専用アプリケーション部９において、参加者の各メッセージをベットや投票として処理する。例えば、営利のゲームを運営するための専用アプリケーション部９には、乱数ジェネレータや、勝者の決定及び勝ちに応じた獲得物の分配を行うプログラムとルールをセットにしたもの、などが含まれる。獲得物の一部をオーガナイザが保管しておくことも可能で、資金を積み立てたり、獲得物を次回のゲームに持ち越してさらに増やしたり、その専用アプリケーション部９におけるゲームの勝者又は全参加者の間で宝くじを実行したり、その他の目的のために利用される。
【００２１】
ゲームの結果はデータベース６に保存され、参加者に直接通知されたり、マスメディア１６を介して公表されたりする。
【００２２】
専用アプリケーション部９の種類や性質に応じて、獲得物を金融仲介機関１１（銀行、ファンドなど）の特別口座に送金することができるようにしてもよい。この口座のための専用デビットカードを、参加者に提供するようにしてもよい。
【００２３】
「トータリゼータ」専用アプリケーション部９が使用される場合には、中央ハードウェア・ソフトウェア複合体１がイベントのブックメイキングを行う。イベントの実施後、勝者に賭け金が分配される。ゲームの結果は上述の方法で公表される。
【００２４】
「世論調査」、「投票」、「レファレンダム」専用アプリケーション部９のいずれかが使用される場合、中央ハードウェア・ソフトウェア複合体１は同様に機能し、最新の結果が参加者に通知され、あるいはマスメディア１６を通じて公表される。
【００２５】
管理上の設定によって、中央ハードウェア・ソフトウェア複合体１が、例えば、各参加者又は参加者全体の活動状況などの統計データを、統計部８によって処理できるようにしてもよい。非営利の「クイズ」専用アプリケーション部９が使用される場合、中央ハードウェア・ソフトウェア複合体１は、正解を最初に送信した参加者を特定することができる。
【００２６】
新しいアプリケーション部９の導入や既存のアプリケーション部９への変更に関する情報は、メッセージ生成部９やマスメディア１６を利用して参加者に告知される。
【００２７】
アプリケーションの種類やシステムの管理上の設定によって、参加者がリクエストを発して金融仲介機関１１における自分の口座の最新状況を確認したり、金融仲介機関１１の自分の口座から、データ伝送ネットワーク３上の自分の別の口座に送金する要請を中央ハードウェア・ソフトウェア複合体１に送信したりできるようにしてもよい。
【００２８】
本考案のシステムと既存の他のシステムとを差別化する、本システム独自の特徴は、標準的な移動無線通信端末、特に携帯電話として具現化される周辺機器本体に対して、機械の変更や追加を求めない点である。さらに、ゲーム、投票、世論調査の、組織化及び運営は、主にシステムの中央ハードウェア・ソフトウェア複合体１が受け持つ。
【００２９】
本考案のシステムと、同様な目的で使用されている既存の他のシステムとを比較すると、本考案のシステムには以下のような利点がある。
【００３０】
・本考案のシステムでは、標準的な移動無線通信端末、特に携帯電話などに対して、機械の変更や追加を必要としない。
【００３１】
・本考案のシステムでは、携帯電話で多種類の営利又は非営利のゲームに参加できるようになるので、携帯電話の機能が拡張される。
【００３２】
・本考案のシステムは、世論調査、レファレンダム、投票を迅速に実行する手段を提供する。
【００３３】
・本考案のシステムでは、システムの新規ユーザーを多数引き寄せることによりネットワークの利益を上げ、これにより機器やサービスの幅を広げ、同時に機器やサービスの値下げを実現できる。
【００３４】
・本考案によるシステムを利用すれば、経済主体や政府機関に対して世間から効率よくフィードバックをかけられるようになるので、これら機関の運営自体の効率を上げることができる。
【産業上の利用可能性】
【００３５】
メッセージ生成や送信に関する既知の方法、及び本技術分野で一般的な移動無線通信技術は、本考案品の工業生産に利用できる。よって、本考案は「産業上の利用可能性（IA）」の基準を満たすと言える。
【図面の簡単な説明】
【００３６】
【図１】図１は、システムのブロック図である。
【符号の説明】
【００３７】
１  中央ハードウェア・ソフトウェア複合体
２  周辺機器
３  データ伝送ネットワーク
４  ネットワークインターフェース
５  参加者登録部
６  データベース
７  メッセージ生成部
８  統計部
９  専用アプリケーション部
１０  制御部
１１  金融仲介機関
１２  インタラクション部（決済部との）
１３  インタラクション部（インターネットとの）
１４  インターネット
１５  インタラクション部（マスメディアとの）
１６  マスメディア
【図１】
0003129697.tif 000003